(57)【特許請求の範囲】
【請求項１】
ガス消火の対象となる室の床に設置された排水トラップであって，前記床に埋設される上面が開口したケーシングと，前記ケーシング内に位置して，このケーシングの底部よりも高い位置にある排水口と，前記排水口を開閉自在なフロートと，前記排水口の中心に固定されてケーシング内に設けられたシャフト部材とを有し，前記フロートは前記シャフト部材に沿って上下に移動して，前記排水口を開閉自在であり，
前記フロートはインスレーションスリーパによって構成されていることを特徴とする，ガス消火室用床排水トラップ。
【請求項２】
シャフト部材におけるフロートの上方には，ストッパが設けられたことを特徴とする，請求項１に記載のガス消火室用床排水トラップ。
【請求項３】
空調ドレン横引管が，ケーシングに接続されたことを特徴とする，請求項１又は２に記載のガス消火室用床排水トラップ。
【請求項４】
請求項１〜３のいずれかに記載のガス消火室用排水トラップが施工されたガス消火室であって，
前記ガス消火室はビルの複数階に設けられ，
前記ガス消火室用排水トラップにおける排水管は，前記ビルにおいて前記複数階に渡って縦方向に配管された排水主管に接続されていることを特徴とする，ガス消火室。
【発明の詳細な説明】
【０００１】
【発明の属する技術分野】
本発明は，炭酸ガスやハロゲンガスなどの消火ガスを用いて消火する，いわゆるガス消火の対象となる室の床に設置される，ガス消火室用床排水トラップに関するものであり，特に緊急排水時の排水性を確保する必要のある場合に適した排水トラップ，及び当該排水トラップを備えたガス消火室に関するものである。
【０００２】
【従来の技術】
電算機や通信機器が設置されている室や、その他空調機やボイラが置かれている室、倉庫内の床面には、常時は水が流れることはないが、例えば地震や接触破損等による配管の破裂漏水や、配管、コイル等の腐食による破裂漏水があった場合、すなわちいわゆる緊急時においては、これらの水を排水可能なように各床面には排水口が設けられている。そして各排水口と排水管との間には、排水トラップが設けられているが、従来のこの種の電算機室等の床排水に採用されている排水トラップには、基本的に封水トラップを利用した一般的な配管トラップや床排水トラップ、バランサー（重錘）を利用し水が流入した際にはそのときの圧によって弁が開放する弁トラップ、そして封水トラップ先（排水先）をボールで閉塞し、水の流入があると当該水の圧力でボールを浮き上らせる構成のボールトラップなどがあった。
【０００３】
【発明が解決しようとする課題】
しかしながら前記した従来の排水トラップにおける配管トラップは、排水性は良好なものの、常時多湿空気が流入する点やメンテナンスの点で好ましくなかった。床排水トラップは、メンテナンスは容易なものの、施工性やコスト面で満足できるものではなかった。しかもこれらはいずれも封水を利用したトラップであるため、水が蒸発して枯渇したときにはトラップとして機能しなくなる。またバランサーを利用した弁トラップやボールトラップも緊急時の排水性の点で改善すべきところがあった。
【０００４】
そして既存のこれら各排水トラップにおける共通した問題は、ガス消火の際のガスのリークの点である。即ち、前記した電算機や通信機器が設置されている室等における消火設備は、放出による機器への汚損が少なくしかも絶縁性に優れ油火災に速効性がある、炭酸ガスやハロゲンガスを用いたガス消火設備が用いられているが、例えば炭酸ガスを用いた場合、満足な消火能力を得るためにその放出時においては、室内の圧力上昇（0.45kg/cm2）に対して室内を気密に保つ必要がある。この点前記各従来の排水トラップでは、いずれも排水口の密閉性が十分ではなく、ガスのリークがあって、消火能力の低下を招いていた。即ち、封水を利用したトラップでは、ガス放出時の圧力上昇によって封水が破られるおそれがある。またバランサーを利用した弁トラップも、ガス放出時の圧力上昇によって弁が開放しガスがリークしてしまう。ボールトラップの場合も、ガス放出時の圧力上昇によりボールが浮き上がってしまい、結局ガスがリークしてしまうという問題があったのである。
【０００５】
本発明は、かかる点に鑑みてなされたものであり、緊急時の排水性を確保しつつ、しかも多湿空気の流入を防止すると共に、メンテナンスや施工性が良好で、しかもガス放出時のリークを防止して、消火能力の低下を防止したガス消火室用床排水トラップを提供して、前記問題の解決を図ることをその目的とする。
【０００６】
【課題を解決するための手段】
前記目的を達成するため，請求項１によれば，ガス消火の対象となる室の床に設置された排水トラップであって，前記床に埋設される上面が開口したケーシングと，前記ケーシング内に位置して，このケーシングの底部よりも高い位置にある排水口と，前記排水口を開閉自在なフロートと，前記排水口の中心に固定されてケーシング内に設けられたシャフト部材とを有し，前記フロートは前記シャフト部材に沿って上下に移動して，前記排水口を開閉自在であり，前記フロートはインスレーションスリーパによって構成されていることを特徴とする，ガス消火室用床排水トラップが提供される。
【０００７】
この請求項１のガス消火室用床排水トラップにおいては、常態即ち、排水していないとき（ケーシング内に水が流入していないとき）には、フロートが排水口を閉鎖しており、排水口からの排水放流先、例えば湧水槽などからの煙突効果による多湿空気やその他の臭気が室内に進入することを防止できる。また床下空調を実施している場合には、床下の気密性が保てる。
【０００８】
そしてガス消火の際、室内に消火ガスが放出されて室内の圧力が上昇すると、当該圧力によって、フロートは排水口側へと押圧されて、良好な気密性が得られる。従って、排水口からの消火ガスのリークは防止され、所期の消火能力を十分確保することができる。
【０００９】
一方緊急排水時において，ケーシング内に水が流入した際には，フロートが即座に浮いてシャフト部材に沿って上昇し，排水口は開放される。従って，良好な排水性が直ちに得られ，緊急排水に対処できる。
【００１１】
また請求項２に記載したように，フロートの上方にストッパを設ければ，多量の水がケーシング内に流入した際に，フロートがガイド部材の上方から外れて離脱することを防止できる。
【００１２】
ところで空調機からのドレンは，一般的にドレン横引管からドレン縦管を通じて排出されているが，ガス消火対象となる室内に空調機があると，そのドレン横引管，ドレン縦管を通じて消火ガスがドレン放出先にリークしてしまい，消火能力が低下する。この点請求項３のように，空調ドレン横引き管を，ケーシングに接続しておけば，通常のドレンはケーシング内に排出され，ある程度溜まってフロートが浮力で上昇した際に排水口から排出される。そしてガス消火の際には，既述したように，圧力上昇により押圧されたフロートによって排水口が気密に閉鎖されるので，室内の気密性は確保できる。従って，所期の消火能力が低下しない。そのうえ，従来のドレン排水用の専用縦管も不要となる。
そして前記したガス消火室用排水トラップを使用して，後述の実施の形態でも説明したような，ビルの複数階に設けられ，前記ガス消火室用排水トラップにおける排水管が，前記ビルにおいて前記複数階に渡って縦方向に配管された排水主管に接続されていることを特徴とする，ガス消火室が提案できる。
【００１３】
【発明の実施の形態】
以下、本発明の実施形態を図面に基づき説明すれば、図１は、本実施形態にかかるガス消火室用床排水トラップが所定のガス消火室に施工されたビルＢの全体を示しており、このビルＢにおけるガス消火の対象となる室は、２階〜４階の、通信系空調機械室Ｒ21〜Ｒ44である。これらの各通信系空調機械室Ｒ21〜Ｒ44内には、各室に対応して火災発生時に炭酸ガスを室内に噴出させるノズルＮ21〜Ｎ44が設置されている。そして本実施形態にかかるガス消火室用床排水トラップ１は、前記各通信系空調機械室Ｒ21〜Ｒ44の床に施工されている。
【００１４】
各通信系空調機械室Ｒ21〜Ｒ44に施工されたガス消火室用床排水トラップ１は、何れも同一構成であり、その詳細を図２以下に基づいて説明する。図２はこのガス消火室用床排水トラップ１の縦断面、図３は、図２のＡ−Ａ線断面を示しており、上面が開口した略円筒形のケーシング２は、スラブ３に形成された所定の貫通孔内に設置され、その底部２ａは、スラブ３の下面から突出している。このケーシング２は、例えばいわゆる白ガス管と呼ばれる配管用炭素鋼鋼管に亜鉛メッキを施した管を用いて構成され、そのサイズは１５０Ａである。
【００１５】
さらにケーシング２は、スラブ３内に埋設された格好となっているが、その上部２ｂは、スラブ３上面、即ち床面に形成されたテーパ部３ａとケーシング２が設置されている貫通孔との間に位置しており、その外周にはネジ溝が形成されている。そしてこのネジ溝に、床排水金具４を係止段部５ａで支持するための支持体５が螺着されている。
【００１６】
ケーシング２の底部２ａには、図１に示した縦方向に配管されている排水主管６に接続される排水管７が貫設接続され、排水口８は、ケーシング２内において底部２ａよりも高い位置に設定されている。この排水管７の材質は、前記ケーシング２と同様、いわゆる白ガス管からなり、そのサイズは１００Ａである。
【００１７】
前記排水管７における上部、即ち排水口８の近傍内周には、適宜のブラケット９が固着されており、さらにこのブラケット９に長ナット１０が、その螺孔が垂直にかつ排水口８の中心に位置するように固着されている。そしてこの長ナット１０の螺孔には、ガイド部材を構成することになる両端部にネジ溝が形成されたシャフト１１の下端部が螺着されている。
【００１８】
前記シャフト１１周りには、排水口８の外径よりも大きい外径を有するインスレーションスリーパ１２が、シャフト１１に沿って上下動自在となるように設けられている。即ち、シャフト１１の径よりも大きい径を有する孔１２ａがインスレーションスリーパ１２の中心に形成され、シャフト１２をこの孔１２ａ内に通すようにしてインスレーションスリーパ１２がシャフト１１周りに設けられている。
【００１９】
前記インスレーションスリーパ１２がフロートを構成する。従って、その材料は、比重が１．０未満であることが必要であり、かつ超難燃性と弾性を有することが好ましい。本実施形態で用いたインスレーションスリーパ１２は、比重が０．３の例えば硬質発泡ウレタンフォームによって構成されている。もちろんこれに限らず、比重の小さい不燃又は難燃性材料、例えば難燃性ポリスチレンフォームを用いることもできる。このインスレーションスリーパ１２は、排水口８の周縁部と良好な密着性を有し、その外径は１２０φである。従って常態では、図２に示したように、インスレーションスリーパ１２はその自重によって排水口８の周縁部上に載置されており、排水口８を閉鎖している。
【００２０】
シャフト１１の上端部のネジ溝には、前記孔１２ａよりも大きい外径を有するナット１３、１４が螺着されている。従って、インスレーションスリーパ１２はシャフト１１の上端からは離脱しないようになっている。
【００２１】
本実施形態にかかるガス消火室用床排水トラップ１は以上の構成を有しており、常態では、図２に示したように、インスレーションスリーパ１２が排水口８の周縁部に載置されて、この排水口８をその自重によって閉鎖している。従って、排水主管６の下流側にある放流先からの多湿空気や臭気等が、室内に進入することはない。
【００２２】
そして何らかの事情で室内に水が放出されて、この水が床面を伝ってをガス消火室用床排水トラップ１に流れ込んできたときには、当該水は床排水金具４を通過してケーシング２内に流入する。そうすると、流入した水はケーシング２の底部２ａから溜まっていくが、図５に示したように、水面が上昇するとそれに伴ってフロートであるインスレーションスリーパ１２は、シャフト１１に沿って上昇する。その結果、排水口８の閉鎖は開場されて開放状態になる。従って、ケーシング２内に流入した水は、この排水口８から排水管７、さらに排水主管６を経由して、放流先に排水される。
【００２３】
前記緊急排水の場合、排水口８は、ケーシング２の底部２ａよりも高い位置に設定されているので、水がどのように流入しても、水圧によってインスレーションスリーパ１２を押圧して排水口８を閉鎖してしまうおそれはない。また既述したように、常態における自重による排水口８の閉鎖性も良好である。なお水流入時の排水口８の閉鎖解除性をより向上させるには、インスレーションスリーパ１２の外径を、排水管７の外径よりも大きく設定すればよい。そうすると、勢いよく流れ込んだ水が、ケーシング２の底部２ａに衝突した際に生ずる逆流が、排水口８の周縁部から外方に突出したインスレーションスリーパ１２の周縁部を下から押し上げ、即座にインスレーションスリーパ１２は上昇して排水口８の閉鎖が解除される。
【００２４】
なお図５に示したように、ケーシング２内の水面が上昇してインスレーションスリーパ１２が上昇しても、ナット１３、１４によってその離脱が防止されているので、たとえ水が勢いよく流入してもインスレーションスリーパ１２が、紛失したり、流されてしまうことはない。
【００２５】
また常態（図２の状態）において、火災が発生してノズルＮ21〜Ｎ44から炭酸ガスが各室内に放出されると、その時の圧力上昇によって室内は正圧になり、図６に示したように、インスレーションスリーパ１２を排水口８側へと押圧する。これによってインスレーションスリーパ１２と排水口８周縁部との密着性が高まり、炭酸ガスが、排水口８から排水管７へとリークすることを防止できる。従って、所期の消火能力を確保できる。
【００２６】
なおインスレーションスリーパ１２は、ナット１３、１４を外すことによってシャフト１１から容易に取り外すことができ、シャフト１１自体も簡単に外すことができるので、ケーシング２や排水管７の清掃、保守等が簡単に行え、またインスレーションスリーパ１２の交換も迅速に行える。従って、メンテナンス性も良好である。
【００２７】
構造的にも、長ナット１０を固着したブラケット９を排水管７に固着し、長ナット１０にシャフト１１を螺着して、このシャフト１１にインスレーションスリーパ１２を遊貫させたものであるから、施工が容易で、かつコストも低廉なものとなっている。
【００２８】
なお空調機のドレンを排出するためのドレン横引管をケーシング２と接続すれば、ガス消火の際に空調ドレン管からのガスのリークをも防止することができ、さらに消火能力の万全を期すことができる。例えば図７に示したように、空調機器のドレン管２１からのドレンを、一旦スラブ３に形成した排水受容部２２で受容し、この排水受容部２２の底部に、ケーシング２内に通ずるドレン横引管２３を接続しておく。そうすればドレン管２１からのドレンは、排水受容部２２かドレン横引管２３を経て、ケーシング２内に移送される。したがって、破線で示した従来のドレン専用の縦型排水管２４は不要になり、またガス放出時にガスがドレン管からドレン排出先へとリークすることはない。ドレン専用の縦型排水管２４を廃止することができるので、配管施工数の低減も図ることがてきる。
【００２９】
前記実施形態においては，シャフト１１は，長ナット１０を固着したブラケット９を排水管７に固着した構造であったが，ケーシング２に直接，適宜のブラケットやシャフトを取り付けてもよい。またブラケット９も着脱自在に構成すれば，メンテナンス性がさらに向上する。
【００３０】
【発明の効果】
本発明によれば，排水放流先からの多湿空気やその他の臭気が室内に進入することを防止でき，また床下空調を実施している場合には，床下の気密性が保てる。そしてガス消火の際には，消火ガスのリークが防止されるので，消火能力が低下しない。もちろん緊急排水時における排水性も良好である。その他，構成が簡易であっても使用部材も少ないので施工が容易でコストも低廉であり，またフロートの交換やケーシング内の清掃も容易であるから，メンテナンス性も良好である。
【００３１】
また構造が簡素化され，フロートの上下動も円滑である。さらに請求項２では，フロートのガイド部材からの離脱を防止できる。そして請求項３のガス消火室用床排水トラップにおいては，ドレン管からのガスリークを防止できると共に，ドレン縦管も不要となる。
【図面の簡単な説明】
【図１】実施形態にかかるガス消火室用床排水トラップが施工されている室を有するビルの説明図である。
【図２】実施形態にかかるガス消火室用床排水トラップの縦断面図である。
【図３】図１のＡ−Ａ線断面図である。
【図４】図２のガス消火室用床排水トラップのケーシング内の様子を示す斜視図である。
【図５】図２のガス消火室用床排水トラップの緊急排水時の状態を示す縦断面図である。
【図６】図２のガス消火室用床排水トラップのガス消火時の状態を示す縦断面図である。
【図７】図２のガス消火室用床排水トラップのケーシングにドレン横引管を接続した様子を示す縦断面図である。
【符号の説明】
１    ガス消火室用床排水トラップ
２    ケーシング
２ａ  底部
３    スラブ
６    排水主管
７    排水管
８    排水口
１０    長ナット
１１    シャフト
１２    インスレーションスリーパ
１３、１４    ナット
２３    ドレン横引管
Ｎ21〜Ｎ44    ノズル
Ｒ21〜Ｒ44    通信系空調機械室
【図１】
0003641059.tif 000002
【図２】
0003641059.tif 000003
【図３】
0003641059.tif 000004
【図４】
0003641059.tif 000005
【図５】
0003641059.tif 000006
【図６】
0003641059.tif 000007
【図７】
0003641059.tif 000008